(57)【特許請求の範囲】
【請求項１】
遊戯機の盤面、或いは遊戯機用部品に設けられ装飾効果を増すために表面がメッキ処理された装飾品の構造であって、
前記装飾品には、メッキ処理時にこの装飾品を保持する治具の把持部が少なくとも弾性変形して挿入され、且つ、その弾性変形が解除されることにより前記先端部に形成された係止部が係止される周縁を有する貫通孔が設けられ、
メッキ処理終了後の前記把持部の係合解除後には、前記貫通孔を遮蔽するように遮蔽部材が取り付けられたことを特徴とする遊戯機用メッキ装飾品構造。
【請求項２】
前記遮蔽部材が、装飾の一部であるシール部材又は電飾部材であることを特徴とする請求項１記載の遊戯機用メッキ装飾品構造。
【請求項３】
遊戯機の盤面、或いは遊戯機用部品に設けられ装飾効果を増すために表面がメッキ処理された装飾品の構造であって、
前記装飾品の非装飾部には、メッキ処理時にこの装飾品を保持する治具のクリップ状の把持部によって挟持される突起部が設けられ、
メッキ処理終了後の前記把持部の挟持解除後には、前記突起部が切除されることを特徴とする遊戯機用メッキ装飾品構造。
【請求項４】
前記突起部が、複数の装飾品を連結する連結部材を兼ねることを特徴とする請求項３記載の遊戯機用メッキ装飾品構造。
【請求項５】
遊戯機の盤面、或いは遊戯機用部品に設けられ装飾効果を増すために表面がメッキ処理された装飾品の構造であって、
前記装飾品に突出して形成され、先端開口部から細径管状空間が連続する筒体を備え、前記筒体には、前記筒体の開口部から基部まで連続して設けられ、前記細径管状空間と外部とを連通するスリット状の切欠部が設けられていることを特徴とする遊戯機用メッキ装飾品構造。
【発明の詳細な説明】
【０００１】
【発明の属する技術分野】
本発明は、遊戯機の盤面、或いは遊戯機用部品に設けられ装飾効果を増すために表面がメッキ処理された装飾品の構造に関する。
【０００２】
【従来の技術】
近年、パチンコ機等の遊戯機では、盤面を電飾やメッキ装飾品を多用し、装飾効果を増大させている。
【０００３】
従って、装飾品をＡＢＳ樹脂等の合成樹脂で成形した後、さらにメッキ処理を施すこと一般的となっている。
【０００４】
メッキ処理工程は以下の表１に示すように、非常に多くの処理工程を経なければならず、仕上がるまでに多大な時間を要している。
【０００５】
【表１】
0003907812.tif 000002
【０００６】
上記メッキ処理の際、複雑な形状の装飾品をメッキ処理する場合、メッキ処理に用いられる液剤の滞留等によって、メッキ状態の品質の低下を招くことがある。この品質の低下を防ぐため、上記複雑な形状の装飾品のメッキ処理には、細心の注意を払い、処理する必要があるため、作業効率の低下を招いている。すなわち、時間のかかるメッキ処理に加え、作業効率の低下を招いていたのでは、生産性が大幅に低下する恐れがある。
【０００７】
【発明が解決しようとする課題】
本発明は上記事実を考慮し、装飾品の形状に拘らず、一般的なメッキ処理工程で、品質の高いメッキ処理を実現し、作業効率を向上して生産性の低下を防止することができる遊戯機用メッキ装飾品構造を得ることが目的である。
【０００８】
【課題を解決するための手段】
請求項１に記載の発明は、遊戯機の盤面、或いは遊戯機用部品に設けられ装飾効果を増すために表面がメッキ処理された装飾品の構造であって、前記装飾品には、メッキ処理時にこの装飾品を保持する治具の把持部が少なくとも弾性変形して挿入され、且つ、その弾性変形が解除されることにより前記先端部に形成された係止部が係止される周縁を有する貫通孔が設けられ、メッキ処理終了後の前記把持部の係合解除後には、前記貫通孔を遮蔽するように遮蔽部材が取り付けられたことを特徴としている。
【０００９】
請求項１に記載の発明によれば、予め治具の把持部で保持し易いように、装飾品に貫通孔を設けておく。これにより、把持位置を考慮する必要がなく一義的に把持位置が決まると共に、治具の把持部で把持するために設けているため、把持後の係合状態が確実となり、脱落等の心配がない。このため、作業効率を低下させるような問題が起きず、生産性を向上することができる。
【００１０】
なお、貫通孔はメッキ処理後に遮蔽部材で遮蔽することによって、遊戯機の盤面への組み付け後は見えることがなく、盤面の見栄えを低下させることはない。
【００１１】
請求項２に記載の発明は、前記請求項１に記載の発明において、前記遮蔽部材が、装飾の一部であるシール部材又は電飾部材であることを特徴としている。
【００１２】
請求項２に記載の発明によれば、前記貫通孔を塞ぐようにシールを貼り付けるか、或いはこの貫通孔を利用してランプ等の電飾を施すことにより、貫通孔を遮蔽することができる。
【００１３】
請求項３に記載の発明は、遊戯機の盤面、或いは遊戯機用部品に設けられ装飾効果を増すために表面がメッキ処理された装飾品の構造であって、前記装飾品の非装飾部には、メッキ処理時にこの装飾品を保持する治具のクリップ状の把持部によって挟持される突起部が設けられ、メッキ処理終了後の前記把持部の挟持解除後には、前記突起部が切除されることを特徴としている。
【００１４】
請求項３に記載の発明によれば、装飾品の非装飾部、すなわち裏面等の遊戯機の盤面に組み付け後は見えなくなる位置に突起部を設けておく。治具の把持部には、挟持して保持する把持部があり、このような把持部には突起部を設けることが最適である。
【００１５】
この突起部はメッキ処理工程中のみ必要なものであり、このメッキ処理終了後は切除する。ここで、切除した跡には、非メッキ部が残ることになるが、予め非装飾部に突起部を設けているため、問題はない。
【００１６】
請求項４に記載の発明は、前記請求項３に記載の発明において、前記突起部が、複数の装飾品を連結する連結部材を兼ねることを特徴としている。
【００１７】
請求項４に記載の発明は、前記突起部を枝とし、この枝を１本の幹に複数設けることにより、複数の装飾品を幹を把持することでいちどに保持することができる。
【００１８】
請求項５に記載の発明は、遊戯機の盤面、或いは遊戯機用部品に設けられ装飾効果を増すために表面がメッキ処理された装飾品の構造であって、
前記装飾品に突出して形成され、先端開口部から細径管状空間が連続する筒体を備え、前記筒体には、前記筒体の開口部から基部まで連続して設けられ、前記細径管状空間と外部とを連通するスリット状の切欠部が設けられていることを特徴としている。
【００１９】
請求項５に記載の発明によれば、装飾品には、遊戯機の盤面、或いは図柄表示装置、変動入賞装置、ハンドル等の遊戯機用部品に位置決めした後、ねじ止めによって固定するものが多い。この場合、盤面、或いは遊戯機用部品の裏面からねじを貫通させ、装飾品に予め一体に形成された筒体に螺合していく。
【００２０】
この筒体は、ねじの径よりも若干細い、細径管状空間が設けられているため、ねじ締めにより、筒体が破損することはない。
【００２１】
しかし、この細径管状空間には、毛細管現象によりメッキ処理工程中の液剤が滞留し易く内部で析出したり、或いは、液だれを起こすことがある。析出した場合にはねじ締めのときの抵抗力となり筒体を破損させることがあり、また流れ出た液は、装飾部分にかかりメッキ不良を起こすことがある。
【００２２】
そこで、筒体に液剤が抜け出すことが可能な流通孔として、筒体に開口部から基部側までスリット状の切欠を設けておけば、液剤の流動性を確実とすることができ、液剤は迅速に流れ出て、析出や次工程以降に液だれを起こすようなことが防止できる。
【００２５】
【発明の実施の形態】
図１には、本実施の形態に係るパチンコ遊戯機の表面、すなわち遊戯盤面１１０が示されている。この遊戯盤面１１０における円弧状のレール１１２で囲まれた領域が遊戯領域であるゲージ部１１４とされている。
【００２６】
ゲージ部１１４には、全面にわたって複数の釘１１６が打ち込まれ（図１では主要な釘１１６のみ図示）、レール１１２を通って打ち出されたパチンコ球がこの釘に当たって跳ねたり、釘１１６によって形成される案内路に案内されながら、落下していくようになっている。また、この釘１１６の他、ゲージ部１１４に向かって左右対称の位置には、風車１１８が取り付けられており、パチンコ球を予期しない方向へ方向転換させるようになっている。
【００２７】
さらに、ゲージ部１１４には複数の位置に入賞口１２０が設けられ、この入賞口１２０にパチンコ球が入ることにより、所定数のパチンコ球が遊戯者に供給されるようになっている。
【００２８】
このようなゲージ部１１４は、ほぼ左右対称形とされており、この中央部には特別図柄表示装置１２２が配置され、その表示部１２４が露出されている。この表示部１２４の下方には、特別図柄表示装置１２２を始動するための始動口１２６が設けられている。
【００２９】
始動口１２６のさらに下方には、大入賞口１２８が配置され、前記特別図柄表示装置１２２での所謂当たりの表示の状態で所定時間開放され、大量のパチンコ球を入賞させることができる構成となっている。
【００３０】
特別図柄表示装置１２５の表示部１２４は、左、中、右の３個の図柄表示面１２５によって構成されている。
【００３１】
この図柄表示面１２５に表示される図柄は、表示される順が予め定められており、背面側に配設される複数の電子部品が配設された制御装置（図示省略）によって制御されるようになっている。例えば、横一列（左、中、右）に同一の絵柄（例えば、（７、７、７））が停止することにより、大当たりとなる。
【００３２】
ここで、前記入賞口１２０や始動口１２６、並びに特別図柄表示装置１２２の輪郭を形成している躯体は、ゲージ部１１４の盤面に突出するように取り付けられた合成樹脂成形品である。これらの合成樹脂成形品は、成形後に従来技術の項で説明したメッキ処理が施され、盤面の装飾の一部を担っている。
【００３３】
以下、始動口１２６を例にとり、本実施の形態で適用される合成樹脂成形品における、パチンコ遊戯機１１０の特徴（形状、取り扱い、後加工等）を説明する。
【００３４】
図２には、始動口１２６の輪郭を形成する合成樹脂成形品（以下、始動口パーツ１２６Ｐという）は、盤面に対して立設する側面部１２６Ａと、この側面部１２６Ａによって支持される表面部１２６Ｂとで構成されている。
【００３５】
側面部１２６Ａの上面部は、矩形の開口部が設けられ始動口１２６となっている。また、表面部１２６Ｂの下方底部は、略Ｕ字型に形成されており、この略Ｕ字の曲線に沿って側面部１２６Ａの底部は略Ｕ字型に屈曲されている。この底部は、前記始動口１２６から入賞したパチンコ球を盤面の裏面側へ送る案内路の役目を有している。
【００３６】
この表面部１２６Ｂの上部幅方向両端部は、前記略Ｕ字型に形成された底部よりも若干幅広とされ、この表面部１２６Ｂの裏面側から円筒部材１３０が立設されている。この円筒部材１３０は、始動口パーツ１２６Ｐとして一体成形されている。
【００３７】
図３に示される如く、この円筒部材１３０の（軸線方向）長さ寸法は、前記側面部１２６Ａの奥行き寸法よりも長く形成されており、この差分、前記盤面に形成された取り付け孔（図示省略）に挿通され、図示しないビス等によって螺合され固定されるようになっている。従って、側面部１２６Ａの奥側端部が盤面に当接した状態で保持されることになる。
【００３８】
図４に示される如く、円筒部材１３０には、その先端開口から基部（付け根）にかけて軸線方向に沿ったスリット状の切欠部１３２が形成されている。この切欠部１３２は、内部の管状空間部１３４まで達している。
【００３９】
この切欠部１３２は、管状空間部１３４に流入したメッキ処理時の液剤（水洗水も含む）の逃げ溝としての役目を有している。すなわち、図９（Ａ）に示されるような切欠部１３２の存在しない従来の始動口パーツ１２９Ａの円筒部材１３０Ａでは、管状空間部１３５に液剤が溜まり易く、かつ、何らかの振動やショック等により先端開口から流れ出す恐れがある。このため、図９（Ｂ）に示される如く、先端開口周縁に液剤が残り、メッキ不良を起こすことがあった。また、滞留したまま固化することもあり、それがビス止めの際に抵抗力となり円筒部材３０Ａを破損させることがある。
【００４０】
これに対して、本実施の形態では、先端開口から流入した液剤が、切欠部１３２を通って、迅速に流れ落ちる構造となっており、滞留、時間差流出、固化等が防止されている。
【００４１】
図５に示される如く、表面部１２６Ｂには、矩形状の孔１３６が設けられている。この孔１３６には、メッキ処理時にこの始動口パーツ１２６Ｐを把持して保持するための治具が対応するようになっている。すなわち、治具１３８には、把持部１４０が設けられている。この把持部１４０は、一対の互いに平行な棒材１４２の先端が互いに相反する方向に略直角に屈曲された係止部１４４を備え、全体として略Ｌ字型の形状となっており、棒材１４２は互いに接近・離反する方向に弾性力を有している。
【００４２】
ここで、この棒材１４２を互いに接近する方向に弾性変形させた状態で、前記孔１３６へ挿入し、弾性変形を解除することにより、前記係止部１４４が孔１３６の周縁に係止され、これにより、始動口パーツ１２６Ｐは、把持部１４０によって保持することができる。
【００４３】
なお、図２に示される如く、始動口パーツ１２６Ｐの表面部１２６Ｂには、メッキ処理が完了した後に、シール１４６が貼り付けられるようになっており、このシール１４６によって、前記孔１３６は遮蔽され、製品としてパチンコ遊戯機の盤面１１０に取り付けられている状態では、孔１３６は存在しないことになる。
【００４４】
以下に本実施の形態の作用を説明する。
始動口パーツ１２６Ｐをメッキ処理する場合、まず治具１３８に設けられた把持部１４０の棒材１４２を互いに接近する方向に弾性変形させた状態で、孔１３６へ挿入する。
【００４５】
次に、この弾性変形を解除すると、棒材１４２は、互いに離反する方向に移動して、孔１３６の周端に当接する。このとき、係止部１４４がこの孔１３６の周縁に係止されるため、始動口パーツ１２６Ｐは治具１３８に保持されることになる（図５参照）。
【００４６】
この状態で、一連のメッキ処理（従来技術の項で説明した処理工程に準ずる）施される。
【００４７】
上記メッキ処理後は、治具１３８から始動口パーツ１２６Ｐを取り外すことになるが、これは、前記棒材１４２を再度互いに接近する方向に弾性変形させることにより、容易に取り外すことができる。
【００４８】
ここで、メッキ処理中、あるいはメッキ処理後に、従来は、円筒部材１３０の管状空間部１３５（図９（Ａ）参照）に液剤が滞留することがあった。この液剤は、メッキ処理中であれば、次工程へ至るまえの水洗でも拭うことができず、この次工程中の振動等によって、不用意に円筒部材１３０の先端開口から流出して、この次工程の処理が不良となってメッキ不良を起こすことがあった（図９（Ｂ）参照）。
【００４９】
しかし、本実施の形態では、円筒部材１３０にスリット状の切欠部１３２を設け、円筒部材１３０の管状空間部１３４（図３参照）に流入した液剤を迅速に排除することができるため、メッキ不良を抑制することができる。なお、円筒部材１３０の管状空間部１３４に液剤が滞留するのは、この管状空間部１３４が長いために起きる。従って、管状空間部１３４の中央部を塞ぎ、円筒部材１３０の両端部から比較的短い管状空間部１３４Ａ、１３４Ｂを同軸上に形成するようにしてもよい（図１０参照）。また、管状空間部１３４Ｂでは、流入した液剤が排除されやすいように開口部に向かって傾斜した形状になっている。
【００５０】
メッキ処理が終了した始動口パーツ１２６Ｐは、表面部１２６Ｂにシール１４６が貼り付けられる。このシール１４６の貼り付けにより、前記表面部１２６Ｂに設けた孔１３６が遮蔽され、外部からは見えない状態となる。すなわち、外観上は孔１３６の存在はなくなり、見栄えを向上することができる。
【００５１】
次に、始動口パーツ１２６Ｐは、パチンコ遊戯機の盤面１１０上の所定の位置に位置決めされる。このとき円筒部材１３０の一部は盤面に嵌入され、ビス等でフランジ等に固定される。このとき、ビスは円筒部材１３０の先端開口からねじ込まれることになるが、スリット状の切欠部１３２がこの締めつけ力に影響を及ぼすことはない。
【００５２】
このように、本実施の形態では、円筒部材１３０の管状空間部１３４等、メッキ処理時の液剤が滞留し易い場所に、この液剤が迅速に流れ出るための切欠部１３２を設け、周辺の液剤の付着等によるメッキ不良を防止することができる。
【００５３】
また、メッキ処理時に始動口パーツ１２６Ｐを確実に保持するために、表面部１２６Ｂに矩形状の孔１３６を設け、治具１３８の把持部１４０が確実に係止できるようにしたため、メッキ処理工程中に始動口パーツ１２６Ｐが脱落するような不具合を解消することができる。また、表面部１２６Ｂにシール１４６を貼り付けることにより、この始動口パーツ１２６Ｐがパチンコ遊戯機の盤面１１０に取り付けられた後は、孔１３６は遮蔽され、外観を損なうことない。なお、シール１４６に限らず、電飾のためのランプの取り付け孔として利用し、また、その上からランプカバーを取り付けるようにしてもよい。
【００５４】
なお、上記実施の形態では、治具１３８の把持部１４０による保持のため、表面部１２６Ｂに孔１３６を設けたが、側面部１２６Ａの裏面側に棒材１４２の係止部１４４が嵌合可能な溝１４５を形成するようにしてもよい（図６参照）。
【００５５】
また、治具１３８の把持部１４０として棒材１４２を示したが、治具１３８の保持部としては、図７に示されるような部材を挟持して保持する所謂クリップ状の把持部１４０も存在する。このような、把持部１４０に対応させるため、側面部１２６Ａ又は表面部１２６Ｂの裏面側の突起部１４８を形成し、把持部１４０によってこの突起部１４８を挟持するようにしてもよい。但し、この突起部１４８が組み付け後に邪魔になる場合には、メッキ処理後に切除する必要がある。
【００５６】
また、突起部１４８の変形例として、図８に示される如く、始動口パーツ１２６Ｐの成形時に、１本の棒状の幹部１５０と、この幹部１５０から枝分かれした枝部１５２と、を複数の始動口パーツ１２６Ｐと共に成形してもよい。すなわち、枝部１５２の先端にそれぞれ始動口パーツ１２６Ｐが連結された状態で成形型から取り出される。この状態で、前記棒材を保持してメッキ処理を施し、その後、枝部１５２の先端で始動口パーツ１２６Ｐを切り離すことにより、複数の始動口パーツ１２６Ｐを同時にメッキ処理することができる。
【００５７】
なお、上記では、始動口パーツ１２６Ｐを例にとり、メッキ処理時の保持構造を説明したが、以下に始動口パーツ１２６Ｐ以外の部品の保持構造について説明する。
【００５８】
まず、図１１には、入賞口１２０を構成する入賞口パーツ１２０Ｐが示されている。この入賞口パーツ１２０Ｐでは、表面部１２０Ａに３個の円孔１５４が設けられており、その内の２個を利用して把持部１４０によって把持するようになっている。なお、この円孔１５４は、上記と同様にシール１４６で遮蔽してもよいし、ランプ、ランプカバーを取りつけてもよい。
【００５９】
次に、図１２には、特別図柄表示装置１２２の輪郭をなす特別図柄表示装置パーツ１２２Ｐが示されている。表示部１２４が露出する大開口部１５６の上方に一対の円孔１５８が設けられており、この特別図柄表示装置パーツ１２２Ｐでは、この一対の円孔１５８に把持部１４０を係止するようになっている。
【００６０】
図１３（Ａ）及び（Ｂ）には、装飾パーツ１６０を枝部１５２を利用して連結した構成を示しており、図１２（Ａ）のような比較的小さい装飾品の場合には、複数個連結してもよいし、図１２（Ｂ）のように比較的大きい装飾品の場合には、単品として枝部１５２に連結してもよい。
【００６１】
【発明の効果】
以上説明した如く本発明に係る遊戯機用メッキ装飾品構造は、装飾品の形状に拘らず、一般的なメッキ処理工程で、品質の高いメッキ処理を実現し、作業効率を向上して生産性の低下を防止することができるという優れた効果を有する。
【図面の簡単な説明】
【図１】本実施の形態に係るパチンコ遊戯機における遊戯機の正面図である。
【図２】メッキ処理部品としての始動口パーツの正面を向いた斜視図である。
【図３】メッキ処理部品としての始動口パーツの裏面を向いた斜視図である。
【図４】円筒部材の軸線方向断面図である。
【図５】治具による始動口パーツの保持状態を示す斜視図である。
【図６】保持位置の変形例を示す始動口パーツの斜視図である。
【図７】治具の把持部の変形例を示す斜視図である。
【図８】複数の始動口パーツを連結した状態の正面図である。
【図９】従来例に係り、（Ａ）は円筒部材に滞留する液剤の状態を示す円筒部の軸線方向断面図、（Ｂ）は、円筒部材の先端開口から流れ出す液剤によりメッキ不良を起こした円筒部材パーツの斜視図である。
【図１０】円筒部材の管状空間部を分割した場合の断面図である。
【図１１】始動口パーツ以外のパーツの被把持部を示す正面図（入賞口）
【図１２】始動口パーツ以外のパーツの被把持部を示す正面図（特別図柄表示装置）
【図１３】枝部に装飾品を連結した場合の正面図である。
【符号の説明】
１１０    遊戯盤面
１１４    ゲージ部
１２６    始動口
１２６Ｐ  始動口パーツ
１２６Ａ  側面部
１２６Ｂ  表面部
１３０    円筒部材
１３２    切欠部
１３４    管状空間部
１３６    孔
１３８    治具
１４０    把持部
１４６    シール
１４８    突起部
【図１】
0003907812.tif 000003
【図２】
0003907812.tif 000004
【図３】
0003907812.tif 000005
【図４】
0003907812.tif 000006
【図５】
0003907812.tif 000007
【図６】
0003907812.tif 000008
【図７】
0003907812.tif 000009
【図８】
0003907812.tif 000010
【図９】
0003907812.tif 000011
【図１０】
0003907812.tif 000012
【図１１】
0003907812.tif 000013
【図１２】
0003907812.tif 000014
【図１３】
0003907812.tif 000015